【手続補正書】
【提出日】平成16年10月18日(2004.10.18)
【手続補正１】
【補正対象書類名】明細書
【補正対象項目名】特許請求の範囲
【補正方法】変更
【補正の内容】
【特許請求の範囲】
【請求項１】
光学的に書き換え可能な光記憶媒体に対してレーザを照射することにより、記録する情報に応じて多値化された多値データをマークとして記録し、前記記録したマークの再生が可能な光記憶媒体記録方法において、
前記多値データが記録される光記憶媒体に対してテストデータを出力し、前後のマーク長およびスペース長を検出する第１のステップと、
前記第１のステップによって検出された前記マーク長および前記スペース長に基づいて、照射タイミングの設定を行う第２のステップと、
前記第２のステップによって設定された照射タイミングで前記テストデータを記録する第３のステップと、
前記第３のステップで前記光記憶媒体に記録されている前記テストデータを再生する第４のステップと、
前記第４のステップによって再生された結果に基づいて、多値データを判別するしきい値を設定仕直す第５のステップと、からなることを特徴とする光記憶媒体記録方法。
【請求項２】
前記第３のステップによって前記テストデータを記録する際、テストデータを複数のデータ記録単位に分割し、前記分割されたデータ記録単位の先頭に多値データを読み取るタイミングを制御するためのタイミング信号を記録する第６のステップと、
前記第４のステップによって前記テストデータを再生する際、前記第６のステップで記録されたタイミング信号が所定の周波数となるように前記光記憶媒体を回転させる第７のステップと、からなることを特徴とする請求項１記載の光記憶媒体記録方法。
【請求項３】
前記第２のステップにおいてレーザ照射されるレーザの強さを第１段階、第２段階、第３段階と切り換えることにより多値データをマークとして記録し、前記レーザの強さの切り換えは、前記第１段階より高い前記第２段階にレーザの強さを立ち上げ、立ち上げ後に前記第１段階および前記第２段階よりも低い前記第３段階にレーザの強さを下げ、再び、前記第１段階にレーザの強さを立ち上げるという順であり、前記記録されるマークの大きさは、前記レーザの強さの切り換えタイミングで決定されることを特徴とする請求項１、請求項２のうちいずれか１に記載の光記憶媒体記録方法。
【請求項４】
光学的に書き換え可能な光記憶媒体に対してレーザを照射することにより、記録する情報に応じて多値化された多値データをマークとして記録し、前記記録したマークの再生が可能な光記憶媒体記録装置において、
前記多値データが記録される光記憶媒体に対してテストデータを出力し、前後のマーク長およびスペース長を検出する検出手段と、
前記検出手段によって検出された前記マーク長および前記スペース長に基づいて、前記照射タイミングを設定し、前記設定されたタイミングでレーザ照射を行う照射手段と、
前記照射手段によって前記光記憶媒体に前記テストデータを記録する記録手段と、
前記光記憶媒体に記録されたテストデータを再生し、再生結果として取得する取得手段と、
前記取得手段で取得した再生結果に基づいて、多値データを判別するしきい値を設定仕直す設定手段と、を備えたことを特徴とする光記憶媒体記録装置。
【請求項５】
前記記録手段によって前記テストデータを記録する際、前記テストデータを複数のデータ記録単位に分割し、前記分割されたデータ記録単位の先頭に多値データを読み取るタイミングを制御するタイミング信号を記録する信号記録手段と、
前記取得手段で再生されるタイミング信号が所定の周波数となるように前記光記憶媒体を回転させる回転手段と、をさらに備えたことを特徴とする請求項４記載の光記憶媒体記録装置。
【請求項６】
光学的に書き換え可能な光記憶媒体に対してレーザを照射することにより、記録する情報に応じて多値化された多値データが請求項１、請求項２、請求項３のうちいずれか１に記載の光記憶媒体記録方法によりマークとして記録される光記憶媒体において、
前記光記憶媒体上に記録されるユーザデータ記録領域以外にレーザ照射タイミングを補正するためのテストデータを記録するテスト記録領域を設けたことを特徴とする光記憶媒体。
【請求項７】
前記テスト記録領域は、前記多値データを判別するしきい値を設定する基準となるテスト信号が記録されていることを特徴とする請求項６記載の光記憶媒体。
【請求項８】
前記ユーザデータ記憶領域は、複数のデータ記録単位に分割され、前記データ記録単位の先頭に前記多値データを検出する基準となるタイミング信号が記録されていることを特徴とする請求項６または請求項７記載の光記憶媒体。
【請求項９】
前記光記憶媒体は、相変化型光ディスクであることを特徴とする請求項６、請求項７、請求項８のうちいずれか１に記載の光記憶媒体。
【手続補正２】
【補正対象書類名】明細書
【補正対象項目名】０００８
【補正方法】変更
【補正の内容】
【０００８】
【課題を解決するための手段】
請求項１記載の発明では、光学的に書き換え可能な光記憶媒体に対してレーザを照射することにより、記録する情報に応じて多値化された多値データをマークとして記録し、前記記録したマークの再生が可能な光記憶媒体記録方法において、前記多値データが記録される光記憶媒体に対してテストデータを出力し、前後のマーク長およびスペース長を検出する第１のステップと、前記第１のステップによって検出された前記マーク長および前記スペース長に基づいて、照射タイミングの設定を行う第２のステップと、前記第２のステップによって設定された照射タイミングで前記テストデータを記録する第３のステップと、前記第３のステップで前記光記憶媒体に記録されている前記テストデータを再生する第４のステップと、前記第４のステップによって再生された結果に基づいて、多値データを判別するしきい値を設定仕直す第５のステップと、からなることにより、前記第１の目的を達成する。
【手続補正３】
【補正対象書類名】明細書
【補正対象項目名】０００９
【補正方法】変更
【補正の内容】
【０００９】
請求項２記載の発明では、請求項１記載の発明において、前記第３のステップによって前記テストデータを記録する際、テストデータを複数のデータ記録単位に分割し、前記分割されたデータ記録単位の先頭に多値データを読み取るタイミングを制御するためのタイミング信号を記録する第６のステップと、前記第４のステップによって前記テストデータを再生する際、前記第６のステップで記録されたタイミング信号が所定の周波数となるように前記光記憶媒体を回転させる第７のステップと、からなることにより、前記第１の目的を達成する。
【手続補正４】
【補正対象書類名】明細書
【補正対象項目名】００１０
【補正方法】変更
【補正の内容】
【００１０】
請求項３記載の発明では、請求項１、請求項２のうちいずれか１に記載の発明において、前記第２のステップにおいてレーザ照射されるレーザの強さを第１段階、第２段階、第３段階と切り換えることにより多値データをマークとして記録し、前記レーザの強さの切り換えは、前記第１段階より高い前記第２段階にレーザの強さを立ち上げ、立ち上げ後に前記第１段階および前記第２段階よりも低い前記第３段階にレーザの強さを下げ、再び、前記第１段階にレーザの強さを立ち上げるという順であり、前記記録されるマークの大きさは、前記レーザの強さの切り換えタイミングで決定されることにより、前記第２の目的を達成する。
請求項４記載の発明では、光学的に書き換え可能な光記憶媒体に対してレーザを照射することにより、記録する情報に応じて多値化された多値データをマークとして記録し、前記記録したマークの再生が可能な光記憶媒体記録装置において、前記多値データが記録される光記憶媒体に対してテストデータを出力し、前後のマーク長およびスペース長を検出する検出手段と、前記検出手段によって検出された前記マーク長および前記スペース長に基づいて、前記照射タイミングを設定し、前記設定されたタイミングでレーザ照射を行う照射手段と、前記照射手段によって前記光記憶媒体に前記テストデータを記録する記録手段と、前記光記憶媒体に記録されたテストデータを再生し、再生結果として取得する取得手段と、前記取得手段で取得した再生結果に基づいて、多値データを判別するしきい値を設定仕直す設定手段と、を備えたことにより、前記第１の目的を達成する。
【手続補正５】
【補正対象書類名】明細書
【補正対象項目名】００１１
【補正方法】変更
【補正の内容】
【００１１】
請求項５記載の発明では、請求項４記載の発明において、前記記録手段によって前記テストデータを記録する際、前記テストデータを複数のデータ記録単位に分割し、前記分割されたデータ記録単位の先頭に多値データを読み取るタイミングを制御するタイミング信号を記録する信号記録手段と、前記取得手段で再生されるタイミング信号が所定の周波数となるように前記光記憶媒体を回転させる回転手段と、をさらに備えたことにより、前記第１の目的を達成する。
請求項６記載の発明では、光学的に書き換え可能な光記憶媒体に対してレーザを照射することにより、記録する情報に応じて多値化された多値データが請求項１、請求項２、請求項３のうちいずれか１に記載の光記憶媒体記録方法によりマークとして記録される光記憶媒体において、前記光記憶媒体上に記録されるユーザデータ記録領域以外にレーザ照射タイミングを補正するためのテストデータを記録するテスト記録領域を設けたことにより、前記第１の目的を達成する。
【手続補正６】
【補正対象書類名】明細書
【補正対象項目名】００１２
【補正方法】変更
【補正の内容】
【００１２】
請求項７記載の発明では、請求項６記載の発明において、前記テスト記録領域は、前記多値データを判別するしきい値を設定する基準となるテスト信号が記録されていることにより、前記第１の目的を達成する。
【手続補正７】
【補正対象書類名】明細書
【補正対象項目名】００１３
【補正方法】変更
【補正の内容】
【００１３】
請求項８記載の発明では、請求項６または請求項７記載の発明において、前記ユーザデータ記憶領域は、複数のデータ記録単位に分割され、前記データ記録単位の先頭に前記多値データを検出する基準となるタイミング信号が記録されていることにより、前記第１の目的を達成する。
請求項９記載の発明では、請求項６、請求項７、請求項８のうちいずれか１に記載の発明において、前記光記憶媒体は、相変化型光ディスクであることにより、前記第３の目的を達成する。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００２３
【補正方法】変更
【補正の内容】
【００２３】
しきい値レベルを校正する光ディスク記録装置について、図７を参照して説明
する。
まず、しきい値レベル校正用テスト信号を変調信号発生器から出力後、記録波
形発生回路を通り記録マークを形成する。再生時は、受光器から再生信号増幅器
を通って、しきい値レベル生成器に入力される。ここで、各多値データのしきい
値が生成され、多値データ判別器に入力される。
次に、記録されたタイミング信号を使って多値信号を再生する記録装置につい
て図７を参照して説明する。
まず、タイミング信号を変調信号発生器から出力後、記録波形発生回路を通り
タイミング信号を記録する。再生時は、受光器から再生信号増幅器を通って、タ
イミング信号検出回路に入力される。ここで、タイミング信号を抽出し、同期信
号生成回路によって同期信号が生成され、これをスピンドルモータ駆動回路に入
力して光ディスクの回転数を制御するようになっている。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】変更
【補正の内容】
【００２９】
【発明の効果】
請求項１記載の発明では、多値データが記録される光記憶媒体に対してテスト信号を出力し、マーク長およびスペース長を検出する第１のステップと、第１のステップによって検出されたマーク長およびスペース長に基づいて、照射タイミングを設定し、設定されたタイミングでレーザ照射を行う第２のステップと、多値データのマークが記録されるときのしきい値として、第２のステップによって設定された照射タイミングで前記テストデータを記録する第３のステップと、第３のステップで記録されたしきい値に基づいて、光記憶媒体に記録されている多値データを再生する第４のステップと、第４のステップによって再生された結果に基づいて、第３のステップで記録されるしきい値を設定仕直す第５のステップと、からなるので、多値記録したデータを正確に再生することができる。
【手続補正１７】
【補正対象書類名】明細書
【補正対象項目名】００３０
【補正方法】変更
【補正の内容】
【００３０】
請求項２記載の発明では、第４のステップによって前記テストデータを再生する際、記録されたマークを複数のデータ記録単位に分割し、分割されたデータ記録単位の先頭に多値信号レベルを読み取るタイミング信号を記録する第６のステップと、第６のステップで記録されるタイミング信号が所定の周波数となるように光記憶媒体を回転させる第７のステップと、からなるので、多値記録したデータを正確に再生することができる。
【手続補正１８】
【補正対象書類名】明細書
【補正対象項目名】００３１
【補正方法】変更
【補正の内容】
【００３１】
請求項３記載の発明では、第２のステップにおいてレーザ照射されるレーザの強さを第１段階、第２段階、第３段階と切り換えることにより多値データをマークとしてを記録し、レーザの強さの切り換えは、第１段階より高い第２段階にレーザの強さを立ち上げ、立ち上げ後に第１段階および第２段階よりも低い第３段階にレーザの強さを下げ、再び、第１段階にレーザの強さを立ち上げるという順であり、記録されるマークの大きさは、レーザの強さの切り換えタイミングで決定されるので、記録時のレーザパワーを、消去パワー、記録パワー、冷却パワー、消去パワーの順に記録でき、１つのビームスポットで既存のマークを消去しながら新しいマークを記録することができる。
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】変更
【補正の内容】
【００３３】
請求項４記載の発明では、光ディスクおよび光ディスク記録装置の個体差によらず、多値データを正確に再生することができる。
【手続補正２１】
【補正対象書類名】明細書
【補正対象項目名】００３４
【補正方法】変更
【補正の内容】
【００３４】
請求項５記載の発明では、前記記録手段によって前記テストデータを記録する際、前記テストデータを複数のデータ記録単位に分割し、前記分割されたデータ記録単位の先頭に多値データを読み取るタイミングを制御するタイミング信号を記録する信号記録手段と、
前記取得手段で再生されるタイミング信号が所定の周波数となるように前記光記憶媒体を回転させる回転手段と、を備えたことにより、多値データを正確に再生することができる。
【手続補正２２】
【補正対象書類名】明細書
【補正対象項目名】００３５
【補正方法】変更
【補正の内容】
【００３５】
請求項６記載の発明では、光記憶媒体上に記録されたマーク領域以外にレーザ照射タイミングを補正するためのテストデータを記録するテスト記録領域を設けたので、ユーザ記録容量を減少させることなく、多値データを正確に再生できるマークを記録することができる。
【手続補正２３】
【補正対象書類名】明細書
【補正対象項目名】００３６
【補正方法】変更
【補正の内容】
【００３６】
請求項７記載の発明では、記録領域は、多値データを判別するしきい値を設定する基準となるテストデータが記録されているので、光ディスクのばらつきに関係なく正確に多値データを再生することができる。
【手続補正２４】
【補正対象書類名】明細書
【補正対象項目名】００３７
【補正方法】変更
【補正の内容】
【００３７】
請求項８記載の発明では、ユーザーデータ記憶領域は、複数のデータ記録単位に分割され、データ記録単位の先頭に多値データを検出する基準となるタイミング信号が記録されているので、タイミングずれによる読み誤りを低減することができる。
【手続補正２５】
【補正対象書類名】明細書
【補正対象項目名】００３８
【補正方法】変更
【補正の内容】
【００３８】
請求項９記載の発明では、光記憶媒体は、相変化型光ディスクであるので、ダイレクトオーバーライトが可能であり、記録レーザスポット径より小さいマークを形成することができる。